(57)【要約】【課題】  バッグ本体部の外面側に複数の専用収納部を具備したものであり、且つそれぞれの専用収納部における物品を極めて効率的に出し入れすることができるバッグを提供すること。【解決手段】  正面側部１と背面側部２とからなるバッグ本体部Ａと、前記正面側部１の外側の上下方向に適宜の間隔をおいて略水平状に形成された正面側出入口１０と，正面側収納袋部１１とを具備した複数の正面側収納部Ｂと、前記背面側部２の外側に略垂直状に形成された背面側出入口１３と，背面側収納袋部１４とを具備した背面側収納部Ｃとからなること。前記正面側収納部Ｂは３以上設けられること。前記正面側出入口１０には正面側ファスナ１２が装着され、前記背面側出入口１３には背面側ファスナ１５が装着され、前記正面側部１又は背面側部２のいずれか一方にはチケット専用収納部１６が設けられること。【選択図】      図１
0003107173.tif 000002
【実用新案登録請求の範囲】
【請求項１】
正面側部と背面側部とからなるバッグ本体部と、前記正面側部の外側の上下方向に適宜の間隔をおいて略水平状に形成された正面側出入口と，正面側収納袋部とを具備した複数の正面側収納部と、前記背面側部の外側に略垂直状に形成された背面側出入口と，背面側収納袋部とを具備した背面側収納部とからなることを特徴とするバッグ。
【請求項２】
正面側部と背面側部とからなるバッグ本体部と、前記正面側部の外側の上下方向に適宜の間隔をおいて略水平状に形成された正面側出入口と，正面側収納袋部とを具備した複数の正面側収納部と、前記背面側部の外側に略垂直状に形成された背面側出入口と，背面側収納袋部とを具備した背面側収納部とからなり、前記正面側収納部は３以上設けられてなることを特徴とするバッグ。
【請求項３】
正面側部と背面側部とからなるバッグ本体部と、前記正面側部の外側の上下方向に適宜の間隔をおいて略水平状に形成された正面側出入口と，正面側収納袋部とを具備した複数の正面側収納部と、前記背面側部の外側に略垂直状に形成された背面側出入口と，背面側収納袋部とを具備した背面側収納部とからなり、前記正面側収納部は３以上設けられ、前記正面側出入口には正面側ファスナが装着され、前記背面側出入口には背面側ファスナが装着されてなることを特徴とするバッグ。
【請求項４】
正面側部と背面側部とからなるバッグ本体部と、前記正面側部の外側の上下方向に適宜の間隔をおいて略水平状に形成された正面側出入口と，正面側収納袋部とを具備した複数の正面側収納部と、前記背面側部の外側に略垂直状に形成された背面側出入口と，背面側収納袋部とを具備した背面側収納部とからなり、前記正面側収納部は３以上設けられ、前記正面側出入口には正面側ファスナが装着され、前記背面側出入口には背面側ファスナが装着され、前記それぞれの正面側ファスナは相互に相違する色を有してなることを特徴とするバッグ。
【請求項５】
正面側部と背面側部とからなるバッグ本体部と、前記正面側部の外側の上下方向に適宜の間隔をおいて略水平状に形成された正面側出入口と，正面側収納袋部とを具備した複数の正面側収納部と、前記背面側部の外側に略垂直状に形成された背面側出入口と，背面側収納袋部とを具備した背面側収納部とからなり、前記正面側収納部は３以上設けられ、前記正面側出入口には正面側ファスナが装着され、前記背面側出入口には背面側ファスナが装着され、前記複数の正面側ファスナは、前記正面側部において幅方向の端部寄りとし、且つ互い違いとなるように配列されてなることを特徴とするバッグ。
【請求項６】
正面側部と背面側部とからなるバッグ本体部と、前記正面側部の外側の上下方向に適宜の間隔をおいて略水平状に形成された正面側出入口と，正面側収納袋部とを具備した複数の正面側収納部と、前記背面側部の外側に略垂直状に形成された背面側出入口と，背面側収納袋部とを具備した背面側収納部とからなり、前記正面側収納部は３以上設けられ、前記正面側出入口には正面側ファスナが装着され、前記背面側出入口には背面側ファスナが装着され、前記正面側部又は背面側部のいずれか一方にはチケット専用収納部が設けられてなることを特徴とするバッグ。
【考案の詳細な説明】
【技術分野】
【０００１】
本考案は、バッグ本体部の外面側に複数の専用収納部を具備したものであり、且つそれぞれの専用収納部における物品を極めて効率的に出し入れすることができるようにしたバッグに関する。
【背景技術】
【０００２】
従来より、種々のカジュアルなバッグが市販されており、その中でもトートバッグは多数の支持を得ている。これは、出入口が大きく開いた状態であり、収納物の出し入れを行ないやすいものである。通常は、この種のバッグでは、バッグ内部に複数のポケット等が装備されている。また、バッグ外部側にもサイドポケットが設けられているものも多数存在している。
【特許文献１】特開２００２−６５３３２
【考案の開示】
【考案が解決しようとする課題】
【０００３】
ところで、上述したように従来タイプの（トートバッグ等の）種々のバッグは、その出入れ口以外にも、バッグ本体部の外部にサイドポケットや補助収納部が設けられているものが多い。しかしながら、その外部のサイドポケットや補助収納部は、通常１つのみのものが多い。また、特許文献１に開示されているように、２個のサイドポケットや補助収納部が設けられているものも多いが、これら複数の外部側サイドポケット，補助収納部は、その配列状態や、形状が必ずしも、物品を効率的に収納できるものとは言えないものが多い。すなわち、外部側サイドポケット，補助収納部がたとえ複数設けられていたとしても、これらを有効且つ効率的に使用できるものがなかなか、存在しない状態である。本考案の目的は、バッグにおいて、効率的に使用することができる外部側の補助収納部を構成することにある。
【課題を解決するための手段】
【０００４】
そこで、考案者は、上記課題を解決すべく、鋭意, 研究を重ねた結果、本考案を、正面側部と背面側部とからなるバッグ本体部と、前記正面側部の外側の上下方向に適宜の間隔をおいて略水平状に形成された正面側出入口と，正面側収納袋部とを具備した複数の正面側収納部と、前記背面側部の外側に略垂直状に形成された背面側出入口と，背面側収納袋部とを具備した背面側収納部とからなるバッグとしたことにより、上記課題を解決したものである。
【０００５】
次に、前述の構成において、前述の構成において、前記正面側収納部は３以上設けられたり、前記正面側出入口には正面側ファスナが装着され、前記背面側出入口には背面側ファスナが装着されることにより、上記課題を解決したものである。さらに、前述の構成において、前記それぞれの正面側ファスナは相互に相違する色を有してなるバッグとしたり、前記複数の正面側ファスナは、前記正面側部において幅方向の端部寄りとし、且つ互い違いとなるように配列されてなるバッグとしたことにより、上記課題を解決したものである。次に、前述の構成において前記正面側部又は背面側部のいずれか一方にはチケット専用収納部が設けられてなるバッグとしたことにより上記課題を解決したものである。
【考案の効果】
【０００６】
請求項１の考案によれば、バッグ本体部の正面側部及び背面側部の外部側より、異なる種類の物品を区分けして効率良く収納することができ、且つその物品の出し入れが極めて行い易いものにできる。次に、請求項２の考案によれば、正面側収納部を３以上とすることにより、最も効率的で、物品の出し入れを行ないやすい収納ができる。請求項３の考案によれば、正面側ファスナにより正面側収納部に収納した物品の脱落を防止でき安全な収納状態にできる。請求項４の考案によれば、正面側ファスナは相互に相違する色を有しており、これによって収納物品の分別が視覚的に行ないやすいものにできるとともに、それぞれ異なる色彩を有する正面側ファスナにより、バッグ本体部のデザインを良質なものにできる。
【０００７】
次に、請求項５の考案によれば、複数の正面側収納部に収納した物品同士の重なり範囲を小さくすることができ、収納効率を良好にすることができる。次に、請求項６の考案によれば、背面側収納部によって、より一層，収納量を増加させることができる。次に、請求項６の考案によれば、チケット等の小さな紙片の収納に極めて便利である。
【考案を実施するための最良の形態】
【０００８】
以下、本考案の実施形態を図面に基づいて説明する。本考案は、図１乃至図４に示すように、バッグ本体部は、正面側部１と背面側部２とから構成される。また、前記正面側部１と背面側部２との幅方向両側にはマチ３が設けられ、或いは正面側部１と背面側部２の下端には底面部４が設けられることもある〔図８（Ａ），（Ｂ）参照〕。また、前記マチ３及び底面部４を設けることで、バッグ本体部Ａの容積を増加させ、収納量を大きくすることができる。
【０００９】
そのバッグ本体部Ａには、手提げ部５が設けられている。該手提げ部５は、前記正面側部１と背面側部２にそれぞれ設けられるものである。その手提げ部５は、手に持つことや、或いは肩から下げることもできる。このバッグ本体部Ａの正面側部１は、全ての図面（図１乃至図８）において、正面側と記載されている。また、背面側部２は、全ての図面において、背面側と記載されている。なお、ここで前記バッグ本体部Ａにおける正面側部１と背面側部２とは、本考案を説明する上で、便宜的に付与された名称であり、実際に本考案のバッグを使用するときには、バッグ本体部Ａの正面側及び背面側は、明確に区別する必要はない。したがって、実際に使用する場合に、正面側部１を背面側とし、背面側部２を正面側として使用しても差し支えないものである。
【００１０】
そのバッグ本体部Ａを構成する生地の素材は、布地，革，ナイロン等の化学（合成樹脂）繊維，紙等である。そのバッグ本体部Ａには、内張り６が備わっている（図４参照）。該内張り６の生地は、前記正面側部１，背面側部２（マチ３及び底面部４も含む）を構成する生地と同じか、又は相違するものである。そのバッグ本体部Ａの上部側は開口された主出入れ口７が備わっている。
【００１１】
この主出入れ口７は、バッグ本体部Ａ内に主に物品を収納するときに使用されるものである。また、主出入れ口７を構成する正面側部１及び背面側部２には、それぞれ閉じ具が装着されることもある（図２乃至図４参照）。この閉じ具としては、磁石等が好適である。また、バッグ本体部Ａのサイズは、通常，縦方向（上下方向）の寸法が横方向（幅方向）の寸法より大きく形成されているが、その反対に縦方向（上下方向）の寸法が横方向（幅方向）の寸法より小さく形成されることもある〔図６（Ａ），（Ｂ）参照〕。
【００１２】
前記正面側部１には、図１（Ａ），図２に示すように、複数の正面側収納部Ｂが備わっている。複数の正面側収納部Ｂは、適宜にｎ個が具備されたもので、任意の正面側収納部Ｂに対して、その符号Ｂに添字１乃至ｎを付与して、第１補助収納部Ｂ1 ，第２補助収納部Ｂ2 ，…第ｎ補助収納部Ｂn と称する。本考案では、実際には、正面側収納部Ｂの数は、通常３個又は４個が好適なものである。前記第ｎ補助収納部Ｂn としては、第３補助収納部Ｂ3 又は第４補助収納部Ｂ4 まで備えられることが多い。この正面側収納部Ｂでは、物品の出し入れは、上下方向に行なわれることになる。
【００１３】
なお、前記バッグ本体部Ａのサイズによっては、正面側収納部Ｂの数は５以上としても構わない。図１，図２，図４では、正面側収納部Ｂは、３個設けられている。図５に示されたものは、正面側収納部Ｂが４個設けられたもので、第１補助収納部Ｂ1 ，第２補助収納部Ｂ2 ，…第４補助収納部Ｂ4 まで備わっている。これら第１補助収納部Ｂ1 ，第２補助収納部Ｂ2 ，…第ｎ補助収納部Ｂn は、正面側部１の上下方向において適宜の間隔をおいて配置されている。図７は、正面側収納部Ｂの数を２としたもので、第１補助収納部Ｂ1 ，第２補助収納部Ｂ2 が備わっている。
【００１４】
それぞれの正面側収納部Ｂの構成は、正面側出入口１０、正面側収納袋部１１及び正面側ファスナ１２とから構成されたものである。前記正面側収納袋部１１は、図４に示すように、前記バッグ本体部Ａと内張り６との間に配置されており、第１補助収納部Ｂ1 ，第２補助収納部Ｂ2 ，…，第ｎ補助収納部Ｂn にそれぞれ具備されている。そして、それぞれの正面側収納部Ｂに収納された物品は、それぞれの正面側収納袋部１１によって、バッグ本体部Ａ内部で仕切られるようになっている。
【００１５】
したがって、正面側収納部Ｂは、第１補助収納部Ｂ1 ，第２補助収納部Ｂ2 ，…，第ｎ補助収納部Ｂn にそれぞれ異なる種類の物品を収納することにより、本考案を使用するのに便利である。たとえば、第１補助収納部Ｂ1 には、財布，小銭入れを収納し、また第２補助収納部Ｂ2 には、菓子類，化粧品，薬品等を収納しさらに第３補助収納部Ｂ3 には、携帯電話等を収納することで、これらの物品の取り出しが極めて効率的にできる（図４参照）。
【００１６】
前記正面側ファスナ１２は、前記第１補助収納部Ｂ1 ，…，第ｎ補助収納部Ｂn に対してそれぞれの正面側出入口１０に装着されている。前記正面側出入口１０は、前記バッグ本体部Ａの上下方向に対して水平方向に水平状に形成されているが、その正面側出入口１０が傾斜状に形成されても構わない。その正面側ファスナ１２は、第１補助収納部Ｂ1 ，第２補助収納部Ｂ2 ，…，第ｎ補助収納部Ｂn に装着されるもので、それぞれ色が異なるように設定されている。すなわち、それぞれの正面側ファスナ１２の色によって、第１補助収納部Ｂ1 ，第２補助収納部Ｂ2 ，…，第ｎ補助収納部Ｂn が視覚的に確認できるようになっている。さらに、その正面側ファスナ１２の色彩の相違によって、バッグ本体部Ａのデザインを良質なものにしている。
【００１７】
具体的には、第１補助収納部Ｂ1 の正面側ファスナ１２は黄色であり、第２補助収納部Ｂ2 の正面側ファスナ１２は茶色であり、第３補助収納部Ｂ3 の正面側ファスナ１２はオレンジ色としている。この正面側ファスナ１２の色は、任意に設定されるものであり、上記色に限定されるものではない。このように、第１補助収納部Ｂ1 ，第２補助収納部Ｂ2 ，…，第ｎ補助収納部Ｂn の正面側ファスナ１２を異なる色で色分けすることにより、物品の収納場所の選定を行ない易くすることができる。
【００１８】
その第１補助収納部Ｂ1 ，第２補助収納部Ｂ2 ，…，第ｎ補助収納部Ｂn に具備された正面側ファスナ１２は、図１（Ａ），図５（Ａ）等に示すように、前記正面側部１の幅方向において、いずれかの側に偏って配置されるとともに、正面側部１の上下方向においては、互い違いとなるように配列されている。すなわち、前記第１補助収納部Ｂ1 の正面側ファスナ１２は、正面側部１の幅方向左寄りに配置され、第２補助収納部Ｂ2 の正面側ファスナ１２は正面側部１の幅方向右寄りに配置され、第３補助収納部Ｂ3 の正面側ファスナ１２は正面側部１の幅方向左寄りに配置されている。
【００１９】
その第１補助収納部Ｂ1 ，第２補助収納部Ｂ2 ，…，第ｎ補助収納部Ｂn のそれぞれの正面側ファスナ１２，１２，…を上記のように、バッグ本体部Ａの正面側部１の幅方向において互い違いとなるように配列されたことによって、それぞれの正面側収納袋部１１の位置も互い違いの配列となり、内部に収納された物品がバッグ本体部Ａで重なり合わないようにすることができ、収納効率を良好にすることができる。
【００２０】
次に、前記バッグ本体部Ａの背面側部２には、図１（Ｂ），図３等に示すように、背面側収納部Ｃが設けらている。該背面側収納部Ｃには、正面側収納部Ｂと同様に、背面側出入口１３，背面側収納袋部１４及び背面側ファスナ１５が設けられている。その背面側収納袋部１４は、前記正面側収納袋部１１と同様に、バッグ本体部Ａと内張り６との間に配置されている（図４参照）。その背面側出入口１３は、バッグ本体部Ａの背面側部２の上下方向に伸びて垂直状に形成されている。この背面側収納部Ｃは、物品の出し入れを水平方向に行なうものである。また、背面側収納袋部１４は、前述の正面側収納袋部１１よりも容量が大きく形成されることが好ましく、ノート，雑誌類等の収納ができるようになっている。
【００２１】
この背面側収納部Ｃも複数設けられることもある〔図５（Ｂ）参照〕。これらの複数の背面側収納部Ｃを第１背面収納部Ｃ1 ，第２背面収納部Ｃ2 ，…第ｎ背面収納部Ｃn と称する。この背面側収納部Ｃは、複数設けられる場合には、通常２以上であり、特に２個が好適なものである。この場合には、第１背面収納部Ｃ1 が背面側部２の幅方向の一方側に背面側出入口１３を備え、第２背面収納部Ｃ2 の背面側出入口１３は、幅方向の反対側に備えられることが好ましい。さらに、第１背面収納部Ｃ1 の背面側出入口１３と、第２背面収納部Ｃ2 の背面側出入口１３とは、上下方向に段差を有するようにすれば、収納作業を行ないやすい。
【００２２】
また、前記バッグ本体部Ａの正面側部１又は背面側部２のいずれか一方には、チケット専用収納部１６が設けられている。このチケット専用収納部１６は、ポケット形状であり、切符，券，札等のチケット類が収納される部位となっている。チケット専用収納部１６は、バッグ本体部Ａとは別の部材が縫い付けられるようにして形成されたものであり、特に革材が使用されることが好ましい。また、図４に示すように、バッグ本体部Ａの内部には、内部ポケット１７が形成されることもある。
【図面の簡単な説明】
【００２３】
【図１】（Ａ）は本考案におけるバッグの正面図、（Ｂ）は背面図である。
【図２】本考案におけるバッグの正面側の斜視図である。
【図３】本考案におけるバッグの背面側の斜視図である。
【図４】本考案におけるバッグの縦断側面図である。
【図５】（Ａ）は４個の正面側収納部と２個の背面側収納部を設けたバッグの正面図、（Ｂ）は背面図である。
【図６】（Ａ）はバッグ本体部の横寸法が縦寸法よりも大きくしたタイプの正面図、（Ｂ）は背面図である。
【図７】（Ａ）は２個の正面側収納部を設けたバッグの正面図、（Ｂ）は背面図である。
【図８】（Ａ）はバッグ本体部にマチと底面部を設けたバッグの正面側の斜視図、（Ｂ）は背面側の斜視図である。
【符号の説明】
【００２４】
Ａ…バッグ本体部、１…正面側部、Ｂ…正面側収納部、１１…正面側収納袋部１１、
１０…正面側出入口、１２…正面側ファスナ、１３…背面側出入口、Ｃ…背面側収納部、１６…チケット専用収納部。
【図１】
0003107173.tif 000003
【図２】
0003107173.tif 000004
【図３】
0003107173.tif 000005
【図４】
0003107173.tif 000006
【図５】
0003107173.tif 000007
【図６】
0003107173.tif 000008
【図７】
0003107173.tif 000009
【図８】
0003107173.tif 000010